(57)【要約】【課題】  本出願人の先の提案に係るスプリングダンパーを用いた新規なドアクローザの作動角度を大きくする。【解決手段】  収縮時緩衝される型式のスプリングダンパーの、ピストンの先端及びシリンダの基端の何れか一方を可動枢軸に枢着すると共に、他方を扉枠側の固定枢軸に枢着し、上記可動枢軸及び固定枢軸を扉枠の上辺に沿って配設すると共に、スプリングダンパーを組込んだリンク機構に思案点が生じないように、可動及び固定枢軸の位置を設定する。【選択図】  図５
2009235708.tif 000002
【特許請求の範囲】
【請求項１】
蝶番に支持、案内されたスイング扉に水平な作動腕を突設し、この作動腕の先端に、収縮時緩衝される型式のスプリングダンパーの、ピストンの先端及びシリンダの基端の何れか一方をリンク結合してその回動中心を可動枢軸にすると共に、他方を固定枢軸を介して扉枠に揺動可能に支承し、閉扉時、扉枠側の固定枢軸の回りを揺動しつつ収縮するスプリングダンパーにより、スイング扉を緩衝させつつ扉枠側に引くようにしたものにおいて、上記可動枢軸及び固定枢軸を扉枠の上辺に沿って配設し、一方、スプリングダンパーの扉枠側の固定枢軸を中心とし、スプリングダンパーが最も収縮したときの可動枢軸と固定枢軸との距離を半径とする仮想の円の、水平面への投影を第１円とし、蝶番の回動軸を中心とし、この回動軸と可動枢軸との距離を半径とする仮想の円の、水平面への投影を第２円としたとき、第１及び第２円が２点で交差するように、蝶番の回動軸と可動枢軸との距離を設定したことを特徴とするドアクローザ。
【発明の詳細な説明】
【技術分野】
【０００１】
この発明は、ドアクローザの改良に係り、特に、本出願人が先に提案した新規で簡単な構成のクローザの作動角度を大きくしたドアクローザに関する。
【背景技術】
【０００２】
本出願人は、先に、後記特許文献１を以て、新規で簡単な構造のドアクローザを提案した。
【０００３】
このドアクローザは、スイング扉の支持側端縁付近に水平な作動腕を突設し、この作動腕の先端に、突出時緩衝される型式のスプリングダンパーのピストンの先端をリンク結合すると共に、スプリングダンパーのシリンダの基端を扉枠に揺動可能に支承したことを特徴とするものである。
【特許文献１】特開２００８−００２１２４
【発明の開示】
【発明が解決しようとする課題】
【０００４】
上記特許文献１によって提案されたドアクローザの作動角、すなわち、ドアクローザとして働く角度範囲は、図１に示すように、スイング扉１の蝶番の回動軸２と、スイング扉の支持側端縁に突設されたブラケット（上記作動腕）３及びスプリングダンパー４のピストン５の先端の枢着点６とを結んだ線分をｌ１とし、スイング扉を開ける過程において上記回動軸２、可動枢軸６及びスプリングダンパーの基端の固定枢軸７が同時に並ぶ線分をｌ２としたとき、線分ｌ１、ｌ２が交差する角度αである。
【０００５】
上記作動角度αはせいぜい７０度位であり、開扉時７０度以上扉を開けて扉口を通過した後、閉扉するには、７０度迄扉を閉めてから初めてドアクローザが作動するので、従来のドアクローザに慣れた人にとっては少し使い勝手が悪い、等未だ改良の余地がある。
【０００６】
そこで、この発明は、上記特許文献１によって提案されたドアクローザを改良して、作動角度が例えば９０度以上になるドアクローザを提供することを目的としている。
【課題を解決するための手段】
【０００７】
上記の目的を達成するため、請求項１に記載の発明は、蝶番に支持、案内されたスイング扉に水平な作動腕を突設し、この作動腕の先端に、収縮時緩衝される型式のスプリングダンパーの、ピストンの先端及びシリンダの基端の何れか一方をリンク結合してその回動中心を可動枢軸にすると共に、他方を扉枠に揺動可能に支承し、閉扉時、扉枠側の固定枢軸の回りを揺動しつつ収縮するスプリングダンパーにより、スイング扉を緩衝させつつ扉枠側に引くようにしたものにおいて、上記可動枢軸及び固定枢軸を扉枠の上辺に沿って配設し、一方、スプリングダンパーの扉枠側の固定枢軸を中心とし、スプリングダンパーが最も収縮したときの可動枢軸と固定枢軸との距離を半径とする仮想の円の、水平面への投影を第１円とし、蝶番の回動軸を中心とし、この回動軸と可動枢軸との距離を半径とする仮想の円の、水平面への投影を第２円としたとき、第１及び第２円が２点で交差するように、蝶番の回動軸と可動枢軸との距離を設定したことを特徴とする。
【発明の効果】
【０００８】
上記のように構成された請求項１に記載の発明は、第１及び第２円が外接しない、換言すればリンク機構に思案点が生じない上、スイング扉を９０度以上開く上において障害が無いので、クローザの作動角を９０度以上にする、という所期の効果を奏する。
【発明を実施するための最良の形態】
【０００９】
収縮するとき緩衝されるスプリングダンパーを用い、その両端の可動及び固定枢軸の位置を適切に設定することにより、作動角が９０度以上のドアクローザを構成することができた。
【実施例１】
【００１０】
以下、この発明の実施例を図２乃至図５を参照して説明する。
図２において符号４はこの発明において採用されたスプリングダンパーを示し、このスプリングダンパー４は、図２から明らかなように、内側に付番しない作動油を充填し、ピストン５を伸ばすとき、スプリング１１に弾性エネルギーを蓄えるタイプのダンパーである。
【００１１】
このスプリングダンパー４のシリンダ８内にはピストン９が摺動可能に嵌装されており、このピストン９には、図３に示すように、緩衝用のオリフィス１２と、逆止弁１３が夫々設けられているが、かかるスプリングダンパーの構成は周知であるから、更に詳細な説明は省略する。
【００１２】
なお、図示の実施例におけるスプリングダンパー４は、ダンパーとしての緩衝度が固定されているが、例えば前記特許文献１におけるスプリングダンパーのような構成を採ることにより、例えば気温に応じて緩衝度を調節することが可能になる。
【００１３】
一方、図４の（Ａ）〜（Ｃ）に示すように、扉枠の上辺に沿って、蝶番の回動軸２に近い方から順に、固定枢軸７及び可動枢軸６が配設されており、これら固定及び可動枢軸７、６の間にスプリングダンパー４がリンク結合されている。
【００１４】
なお、図４に示す実施例では固定枢軸７にスプリングダンパーのピストン５の先端が、可動枢軸６にシリンダ８の基端が夫々枢着されているが、これはスプリングダンパー４を逆向きに装着してもよい。
【００１５】
上記のように構成され実施例１によるドアクローザにおいて、スイング扉１は図４（Ａ）に示す閉扉時から図４（Ｂ）を経て（Ｃ）のように９０度以上開き、（Ｃ）の状態から手を離すと、スイング扉１は緩衝されつつ、換言すればスプリングダンパー４は収縮しつつ閉扉する。
【００１６】
このとき、スイング扉１、スプリングダンパー４及び扉枠からなるリンク機構に思案点が生ぜず、スプリングダンパー４は作動角９０度以上のドアクローザとして機能する。
【実施例２】
【００１７】
図５はこの発明の第２の実施例を示し、図５において図４と等符号を付した部分は相互に均等な部分を示す。
【００１８】
この実施例２においては、可動枢軸６を蝶番の回動軸２の近傍に配設し、固定枢軸７を可動枢軸６に関し回動軸２とは反対側に設けている。
【００１９】
また、上記実施例１とは反対に、スプリングダンパーのピストンの先端を可動枢軸６に、スプリングダンパーのシリンダの基端を固定枢軸７に夫々枢着してある。
【００２０】
上記のように構成された実施例２によるスプリングダンパーは、図５の（Ｂ）に示すようにスイング扉１を９０度以上開けた状態から手を離せば、リンク機構が思案することなく、図５の（Ａ）に示すように閉扉することができる。
【図面の簡単な説明】
【００２１】
【図１】スプリングダンパーを用いた従来のドアクローザの作動を説明するための線図。
【図２】スプリングダンパーの線図的縦断面図。
【図３】スプリングダンパーの基端部の拡大断面図。
【図４】本願発明の実施例１によるスプリングダンパーを説明するための線図。
【図５】本願発明の実施例２によるスプリングダンパーを説明するための線図。
【符号の説明】
【００２２】
１  スイング扉
２  回動軸
３  ブラケット
４  スプリングダンパー
５  ピストン
６  可動枢軸
７  固定枢軸
８  シリンダ
９  ピストン
１１  スプリング
１２  オリフィス
１３  逆止弁
【図１】
2009235708.tif 000003
【図２】
2009235708.tif 000004
【図３】
2009235708.tif 000005
【図４】
2009235708.tif 000006
【図５】
2009235708.tif 000007